(57)【要約】【課題】    シンプルな構造で、より簡易に取り扱える折り畳み式のテントの提供を可能とした。【解決手段】  本願発明は、屋根となる天幕２と、天幕２が張られる複数の桟３…３と、桟３…３を支持する複数の支柱４…４とを備えたテント構造であって、平面視において、桟３…３は、多角形を呈するように配置され、桟３…３の夫々は、隣り合う桟３と回動自在に軸止される。多角形の辺をなす桟３…３の１つは、当該桟３を二つ折りに折り畳むことができる。上記桟３は、上記多角形の内側に向けて凸となるように折れるものであり、当該桟３は、折り畳まれることによって、両端３，３の桟の夫々を引き寄せて、両端の桟の夫々と沿うものである。【選択図】          図２
2010024672.tif 000002
【特許請求の範囲】
【請求項１】
屋根の少なくとも一部を構成する天幕と、天幕が張られる複数の桟と、桟を支持する複数の支柱とを備えたテント構造について、
平面視において、桟は、多角形を呈するように配置され、
桟の夫々は、隣り合う桟へ回動自在に接続され、
多角形の辺をなす桟の１つは、２本の桟部材にて構成され、当該桟部材同士を回動自在に接続したものであり、桟部材を回動することにより、当該桟は、二つ折りに折り畳むことができ、
上記桟は、上記多角形の内側に向けて凸となるように折れるものであり、
当該桟は、折り畳まれることによって、両端の桟の夫々を引き寄せて、両端の桟の夫々と沿うものであることを特徴とする折り畳み可能なテント構造。
【請求項２】
3本の桟を備え、当該桟は、平面視において、三角形を呈するものであり、
各支柱は、上記三角形の頂点の位置に配置され、
各支柱は、回動自在に桟へ接続され、当該回動にて桟に沿うよう折り畳むことができるものであることを特徴とする請求項１記載のテント構造を備えたテント。
【請求項３】
第1及び第２の少なくとも２本の棒材を備え、
第１棒材の一端は、第２棒材の一端に対し、第１棒材の他の一端側を回動できるように接続され、
第１及び第２の両棒材夫々の接続されていない自由端側は、上記の桟部材にて構成された桟の上に載せられたものであり、
各棒材を接続端を中心として回動させることにより、当該棒材の夫々を、桟部材にて構成された桟上をスライドさせることができ、
天幕は、少なくとも２枚のシートからなり、
第１の棒材と、第１の棒材が載せられていない桟とに、上記シートの一方が張り渡され、
第２の棒材と、第２の当該棒材が載せられていない桟であって第２の棒材を挟んで第1の棒材と反対側にある桟とに、上記シートの他の一方が張り渡され、
第1及び第２の両棒材の上記回動により、天幕の開閉が行えるものであることを特徴とする請求項1又は２記載のテント。
【発明の詳細な説明】
【技術分野】
【０００１】
本願発明は、テント構造及びそのテントに関するものである。
【背景技術】
【０００２】
【特許文献１】実用新案登録第３１１５７９７号公報
【０００３】
日除け或いは雨除けとして、屋外に設置して使用し、使用後折り畳んで撤去することができる折り畳みテントが、種々提案されている。
例えば、特許文献１へ示すテントは、長辺と短辺からなる平面長方形の枠状に形成した辺部フレームを備える屋根の支持構造において、前記辺部フレームのそれぞれの四隅上部から屋根の中央部に向かって伸延する屋根支持フレームを形成し、該隣接する２辺の屋根支持フレームの先端同士を互いに連結すると共に、該連結された２辺の屋根支持フレームと互いに対向する２辺の屋根支持フレームとを非連結としたものであり、辺部フレームが、２つの一字形フレームを互いに重ねて交差させ、その交差点をピン留めして回動自在にしてはさみ形体とした少なくとも１つのＸ字形フレームからなり、パンタグラフ状に折り畳み自在に構成されたものである。
【０００４】
しかし、折り畳めるといっても、辺部フレームについて、２つの一字形フレームを互いに重ねて交差させ、その交差点をピン留めして回動自在にしてはさみ形体としたＸ字形フレームとして形成し、パンタグラフ状に折り畳むものであり、構造も複雑で、部品点数も、比較的多くなりがちである。
プールサイドの日除けなど、状況によっては、設置も撤収ももっと簡便に行える、より簡易なテントが望まれる。
また、上記特許文献１のテントでは、使用中風通しや日当たりを求めて、設置したまま、屋根幕を開放することはできない。
【発明の開示】
【発明が解決しようとする課題】
【０００５】
本願発明は、上記のニーズに答えるため、上記の特許文献１と異なる、シンプルな構造で、より簡易に取り扱える折り畳み式のテントの提供を第１の目的とし、また、そのようなテントにおいて、設置したままで、天幕の開閉を行えるものを提供することを第２の目的とする。
【課題を解決するための手段】
【０００６】
本願第１の発明は、屋根の少なくとも一部を構成する天幕と、天幕が張られる複数の桟と、桟を支持する複数の支柱とを備えたテント構造について、次の構成を採るものを提供する。
即ち、平面視において、桟は、多角形を呈するように配置されている。桟の夫々は、隣り合う桟へ回動自在に接続されている。多角形の辺をなす桟の１つは、２本の桟部材にて構成され、当該桟部材同士を回動自在に接続したものであり、桟部材を回動することにより、当該桟は、二つ折りに折り畳むことができる。上記桟は、上記多角形の内側に向けて凸となるように折れるものである。当該桟は、折り畳まれることによって、両端の桟の夫々を引き寄せて、両端の桟の夫々と沿う。
尚、ここで言う多角形とは、数学上の多角形と異なり、厳密に直線的な辺によって囲まれたものに限定するものではなく、実用上差し障りない範囲において、桟や支柱の湾曲や屈曲は許容し、これを包含するものである。
【０００７】
本願第２の発明は、上記本願第１の発明に係るテント構造を備えたテントであって、次の構成を採るものを提供する。
即ち、このテントは、３本の桟を備え、当該桟は、平面視において、三角形を呈する。各支柱は、上記三角形の頂点の位置に配置され、更に、各支柱は、回動自在に桟へ接続され、当該回動にて桟に沿うよう折り畳むことができる。
【０００８】
本願第３の発明は、上記本願第1又は第２の発明にあって、次の構成を採るテントを提供する。
即ち、このテントは、第1及び第２の少なくとも２本の棒材を備える。第１棒材の一端は、第２棒材の一端に対し、第１棒材の他の一端側を回動できるように接続されている。第１及び第２の両棒材夫々の接続されていない自由端側は、上記の桟部材にて構成された桟の上に載せられたものである。各棒材を、接続端を中心として回動させることにより、当該棒材の夫々を、桟部材にて構成された桟上をスライドさせることができる。天幕は、少なくとも２枚のシートからなり、第１の棒材と、第１の棒材が載せられていない桟とに、上記シートの一方が張り渡され、第２の棒材と、第２の当該棒材が載せられていない桟であって第２の棒材を挟んで第1の棒材と反対側にある桟とに、上記シートの他の一方が張り渡され、第1及び第２の両棒材の上記回動により、天幕の開閉が行える。
尚、棒材は、中実のものと中空のものの、双方を含む。
【発明の効果】
【０００９】
本願第１〜３の発明は、テントについて、２本の桟部材にて構成された桟を折り込むと共に、隣接する桟に軸止されている各桟を回動させることにより、関節部にて二つ折りにされた桟とその両隣の桟とを沿わせるという、シンプルな構造にて、簡易に折り畳めるものとした。また、上記の関節部を伸ばすことによって、簡単に設置することができる。即ち、本願の各発明は、上述の第１の目的を達成したものである。
また、本願第２の発明では、平面視において、シンプルな三角形状のテントを提供するものであり、複数の当該テントを集合し、組み合わせることによって、広範囲な日除けや雨除けを提供したり、柔軟に複雑な形状のテントを構成したりすることができる。
また、複数の当該テントを集合した状態にして使用することのみならず、雨除けや日除けを提供する対象に応じて、レイアウトすることができる。例えば、このテントを４つ用意し、夫々の直角部分をつき合わせることにより、全体として、平面視円形の、雨除け又は日除けを形成するものとしても実施できる。
更に、この本願第２の発明では、テントの使用後、上記の通り桟同士を並べた上、副関節部にて支柱を桟へ畳み込むことにより、極めてコンパクトにすることができる。
また、上記本願第３の発明では、棒材の回転によって、テントを設置したまま、天幕の開閉を行うことができる。即ち、本願第３の発明は、上述の第２の目的を達成したものである。
【発明を実施するための最良の形態】
【００１０】
以下、図面に基づき本願発明の実施の形態を説明する。
図１乃至図９へ、本願発明の一実施の形態を示す。図１は、本願発明に係るテントの天幕を閉じた斜視図である。図２は、図１のテントをＭ方向から眺めた状態を示す一部切欠斜視図である。図３は、図１のテントの天幕を開いた状態を示す斜視図である。図４（Ａ）は、上記テントの関節部を示す要部斜視図であり、図４（Ｂ）は図４（Ａ）の平面図であり、図４（Ｃ）は当該関節部を折り曲げる状態を示す要部平面図である。図５（Ａ）は、図４（Ａ）及び図４（Ｂ）に示す関節部の要部背面図であり、図５（Ｂ）は上記テントの副関節部を示す斜視図であり、図５（Ｃ）は上記テントの上部先端を示す斜視図である。図６は、図１に示すテントから天幕と棒材を取り除いた状態を示す斜視図である。図７は、図６に示すテントの折り畳みの途中の状態を示す斜視図である。図８は、図６に示すテントの折り畳みが完了した状態を示す斜視図である。図９（Ａ）は上記テントの使用例を示す平面図であり、図９（Ｂ）は上記テントの他の使用例を示す平面図であり、図９（Ｃ）は上記テントの他の実施の形態を示す略底面図である。
各図において、説明の便宜上、設置したテントを基準として、Ｕは上方を示し、Ｓは下方を示し、Ｌは左方を示し、Ｒは右方を示し、Ｆは前方を示し、Ｂは後方を示す。
【００１１】
このテント１は、図１〜図３及び図６へ示す通り、テント１の屋根を構成する天幕２と、当該天幕２が張り渡される複数の桟３…３と、桟３…３を支持する複数の支柱４…４と、桟３と共に天幕２が張られる棒材５，５と、桟３，３同士を接続する接続部材６…６と、支柱の補強部材７…７とを備える。
以下各部の構成について順に説明する。
【００１２】
上記の桟３…３は、平面視において、多角形を呈する。即ち、各桟３…３は、多角形の辺をなす。各桟３…３には、金属製のパイプ、特に、軽量なアルミニュウム製のパイプを採用するのが好ましい。
この実施の形態では、テント１は、夫々軸方向を水平とする、第１桟３ａと第２桟３ｂと第３桟３ｃの３本の桟３…３を備える。従って、平面視において、各桟３…３は、三角形を呈する。
特に、この実施の形態において、第２桟３ｂと、第３桟３ｃとの間は、直角をなすものであり、桟３…３が呈する三角形は、直角三角形である。
【００１３】
第１桟３ａは、上記直角三角形において、直角となる頂点と対向する辺となるものであり、第２桟３ｂと第３桟３ｃの双方と隣り合う。
ここでは、テント設置後の第１桟３ａの伸びる方向、即ち第１桟３ａの軸方向を左右方向Ｒ，Ｌとして説明する。
上記第２桟３ｂは、第１桟３ａの右端と接続され、上記第３桟３ｃは、第１桟３ａの左端と接続される。
この第１桟３ａは、第1棒部３１と、第２棒部３２と、第１棒部３１及び第２棒部３２を接続する関節部９とを備える。この第1棒部３１と第２棒部３２とが、特許請求の範囲の桟部材に対応する。
【００１４】
第１及び第２の両棒部３１，３２は、金属製のパイプである。図２及び図６へ示す通り、第１棒部３１は、第２棒部３２の左側（左方Ｌ）に配置される。
第１棒部３１の左端は、上記の関節部９を介して、第２棒部３２の右端と接続されているのである。
図４（Ａ）へ示す通り、関節部９は、金属製の板状体であり、第２棒部３２へ一体に固定されている。関節部９の第２棒部３２への固定は、この実施の形態において、溶接にて行われている。但し、ネジやボルトといった周知の固定具によって、関節部９を第２棒部３２へ一体に固定するものとしても実施できる。
関節部９に対して、第１棒部３１は、ネジ或いはボルトといった止め具９１にて、取り付けられている。第１棒部３１の関節部９と対応する端部には、止め具９１を受ける受け部３１ａが設けられている。受け部３１ａは、図４（Ａ）へ示す通り、第１棒部３１の上記端部に、第１棒部３１の軸方向と直交する上下方向を軸方向とする筒状部であり、筒状の内部に、上記止め具９１の軸を回動自在に収容する。このため、第１棒部３１は、止め具９１の軸を中心として、関節部９に対して回動自在である。
詳しくは、図４（Ａ）へ示す通り、関節部９は、平らな上板部９ａと、上板部９ａの下方に上板部９ａと間隔を開けて位置する平らな下板部９ｂと、上板部９ａの前端と下板部９ｂの前端とを接続する湾曲部９ｃとにて構成され、側面視Ｕの字型を呈するものであり、当該Ｕの字の内側に、両棒部３１，３２の端部を受容する（このように受容した状態にして上記の通り第２棒部３２に関節部９は固定されている）。
従って、関節部９が呈するＵの字の内径即ち、上板部９ａと下板部９ｂとの間の間隔は、上記棒部３１，３２夫々の直径と同様か、それよりも若干大きい。図４（Ａ）へ示す通り、関節部９が呈する上記Ｕの字は、寝かされた状態に配置されて、Ｕの字の両端部をテント後方Ｂに向けるものであり、関節部９は、左右と後方とが開放されている。
【００１５】
上記の両棒部３１，３２の端部を収容した状態において、湾曲部９ｃを前方にする上記関節部９には、上板部９ａから下板部９ｂにかけて、上記の止め具９１が通される。
即ち、上記の関節部９には、受け部３１ａの両端部から露出する上記留め具９１を通す、穴９３，９３が、桟３ａ（第１及び第２の棒部３１，３２）の後方Ｂに設けられている。この実施の形態では、上記の穴９３，９３は、関節部９の上板部９ａと下板部９ｂとに、設けられており、各穴は、夫々上板部９ａ及び下板部９ｂを夫々貫通するものである。
止め具９１は、関節部９の上記穴９３，９３及び受け部３１ａに通され、ネジ締めやナット留めによって固定される。
【００１６】
第１棒部３１は、上記の止め具９１に固定されることによって、関節部９へ取り付けられるものであるが、第１棒部３１を、関節部９に対して、回動せず、湾曲部９ｃの内周面に沿うように配置するため、図４（Ａ）へ示す通り、副止め具９２が関節部９に取り付けられる。
具体的には、この副止め具９２は、図４（Ａ）へ示す通り、関節部９内について、棒部３１，３２よりも、後方において上下に突き通された状態に取り付けられたものである。図５（Ａ）へ示す通り、関節部９の上板部９ａと下板部９ｂの夫々において、上記副止め具９２を通す副穴９４，９４が設けられている。
副止め具９２は、この実施の形態において、ボルトとナットにて構成されている。副止め具９２を関節部９へ留めることにより、上記の第１棒部３１をより確実に関節部９へ固定することができる。
【００１７】
図４（Ｃ）へ示す通り、関節部９から、副止め具９２を外すことにより、止め具９１を中心として、関節部９に対し、第１棒部３１を回転させることができる。
この実施の形態では、関節部９の上記上板部９ａと下板部９ｂとは、水平に配置されており、両板部にガイドされて、上記において、第１棒部３１は、水平面（仮想面）に沿って回転する。
この回転を第２棒部３２側から見れば、第２棒部３２も相対的に第１棒部３１に対して回転することになるが、このとき、関節部９は、第２棒部３２と一体に回転する（第２棒部３２は関節部９に対しては回転しない）。このようにして関節部９にて、第１棒部３１を第２棒部３２に対して折り曲げ、第１桟３ａを桟３…３が呈する上記三角形の内側へ向けて凸となるように、二つ折りにすることができる。
上記において、関節部９に対して第１棒部３１を回動するものとしたが、逆に、関節部９に対して第２棒部３２を回転するものとしても実施できる。
【００１８】
図３及び図６へ示す通り、このテント１は、上記の支柱４…４として、第１支柱４ａと第２支柱４ｂと第３支柱４ｃの、３本の支柱４…４を備える。各支柱４…４は、桟３…３が呈する三角形の頂点に配置される。各支柱４…４は、上下に伸びる、金属製のパイプである。支柱４…４は、特にアルミニューム製のパイプを採用するのが好ましい。また、支柱４の夫々は、下端に地面と当接する接地部４０を備える。
第１支柱４ａの上端部は、上記直角をなす第２及び第３桟３ｂ，３ｃの接続部６（後述する第1接続部６ａ）に取り付けられ、第２支柱４ｂは、上記第３桟３ｃと第１桟３ａの接続部６（後述する第２接続部６ｂ）に取り付けられ、第２支柱４ｂは、上記第１桟３ａと第２桟３ｂの接続部６（後述する第３接続部６ｃ）に取り付けられる。
第１支柱４ａと第２桟３ｂとの間、第１支柱４ａと第３桟３ｃとの間には、夫々、上記の補強部材７，７が設けられている。この補強部材７，７は、図１〜図３へ示す通り、鉛直に伸びる第１支柱４ａと水平面に沿って伸びる第２桟３ｂに対して斜めに掛け渡された板状体であり、支柱と桟の固定をより強固なものとする。
上記と同様に、第２支柱４ｂと第１桟３ａとの間、及び、第２支柱４ｂと第３桟３ｃとの間にも、上記の補強部材７，７が設けられており、更に、第３支柱４ｃと第１桟３ａとの間、及び、第３支柱４ｃと第２桟３ｂとの間にも、上記の補強部材７，７が設けられている。
補強部材７の夫々は、係脱自在に、上記各支柱と桟間に渡されている。この実施の形態では、補強部材７の夫々は、一端が支柱に軸止され、他の一端が桟に係止されており、桟から外すことによって、支柱にぶら下がった状態となる（図７）。
【００１９】
このテント１は、上記の棒材５，５として、第１棒材５ａと第２棒材５ｂの２本の棒材５，５を備える。図２ヘ示す通り、各棒材５ａ，５ｂの一端は、夫々、関節部９を備えた上記桟３（第１桟３ａ）と対向する支柱４（第１支柱４ａ）に対し、当該支柱４（第１支柱４ａ）の軸方向と交差する面に沿って回転できるように軸止されている。正確には、後述の第1接続部６ａに、両棒材５，５の上記一端が軸止されている。
この実施の形態において、図２へ示す通り、第1棒材５ａは、第２棒材５ｂの左側に配置される。
【００２０】
各棒材５ａ，５ｂは、直角をなす第２及び第３桟３ｂ，３ｃよりも長く、各棒材５ａ，５ｂの他の一端側は、上記関節部９を備えた桟（第１桟３ａ）の上に載せられ、各棒材５，５を、軸止された支柱４（第１支柱４ａ）を中心として回転させることができる。この実施の形態では、上下に伸びる支柱４（第１支柱４ａ）に対して、水平な面（仮想面）に沿って、両棒材５，５を回転させることができ、これにて、関節部９を備えた桟上をスライドさせることができる。
両棒材５ａ，５ｂの上記関節部９を備えた桟３より後方に突出する部分は把手となり、当該把手を持って、上記のスライドを行うことができる。
図５（Ａ）へ示す通り、前述の関節部９の止め具９１と副止め具９２は、関節部９の上面より上方に突出し、両止め具９１，９２間へ、上記棒材５ａ，５ｂを収めることにより、両棒材５ａ，５ｂを互いに沿うように並べて配置することができる。
【００２１】
上述の各桟３…３は、前記の接続部材６…６によって接続されている。
詳しくは、テント１は、第２桟３ｂと第３桟３ｃとを接続する第１接続部６ａと、第３桟３ｃと第１桟３ａとを接続する第２接続部材６ｂと、第１桟３ａと第２桟３ｂとを接続する第３接続部材６ｃの、３つの接続部材６…６を備える。
各接続部材６…６は、金属製の治具であり、具体的には、図５（Ｂ）へ示す通り、接続部材６…６は、夫々、溶接により隣り合う桟３，３の一方（図５（Ｂ）において第３桟３ｃ）の端部に固定されたものであり、支柱４の上端部を受容する支柱受容部６１と、隣り合う桟３，３の他の一方（図５（Ｂ）において第１桟３ａ）の端部を受容する桟受容部６２とを備える。
この図５（Ｂ）は、第３桟３ｃと第１桟３ａとを接続する第２接続部６ｂを、他の接続部６ａ，６ｃを代表して示しており、他の接続部材６ａ，６ｃも基本的に同様の構成を採るものである。
図５（Ｂ）へ示す通り、上記の支柱受容部６１は、平面視Ｕ字状に形成された板状部である。支柱受容部６１に上記一方の桟３（第３桟３ｃ）が溶接にて固定されている。支柱受容部６１には、ネジ或いはボルトといった横留め具６６を通す、横穴６７，６７が設けられている。この支柱受容部６１に受容される支柱４（第２支柱４ｂ）の端部に、当該横留め具６６を回動自在に受容する筒状の横受け部４０ｂが設けられている。横留め具６７を上記横穴６７，６７及び横受け部４０に装着して締め或いはナットを取り付けることにより、当該支柱４（第２支柱４ｂ）を、支柱受容部６１へ固定することができる。
【００２２】
当該支柱受容部６１の上端に、上記の桟受容部６２が設けられている。
図５（Ｂ）へ示す通り、桟受容部６２は、上記の支柱受容部６１平面視Ｕ字状の支柱受容部６１の側部から横に延設された下板６３と、当該下板６３の上方に間隔を開けて位置する上板６４と、下板６３と上板６４とを接続する側板６５とにて構成されている。この下板６３と上板６４の間が、上記の桟受容部６２として、第１桟３ａの端部を受容する。この実施の形態では、第２桟２ｂと第３桟３ｃとは、同じ長さであり、桟３…３が呈する前述の直角三角形は、直角二等辺三角形である。即ち、第３桟３ｃと第１桟３ａとのなす角度、及び、第１桟３ａと第2桟３ｂとのなす角度は、夫々約４５度となる。従って、平面視において、桟受容部６１の軸方向（湾曲する側板６５の中心線）と、第３桟３ｃの軸方向とがなす角度を約４５度としておけば、両桟３ｃ，３ａ同士を４５度の角度をなすように配置することができる。
【００２３】
上記の桟受容部６２には、ネジ或いはボルトといった縦留め具６８を通す縦穴６９，６９が設けられている。また、図示はしないが、桟受容部６２に受容される桟３（第１桟３ａ）の端部にも、上記縦留め具６８を通す縦孔が設けられている。縦留め具６８を上記縦穴６９，６９及び縦孔に装着して締め或いはナットを取り付けることにより、当該桟３（第１桟３ａ）を、桟受容部６２へ軸止することができる。
図５（Ｃ）へ示す通り、両棒材５ａ，５ｂの先端は、第１接続部材６ａへ、ボルト或いはネジなどの固定手段６０，６０によって、軸止されている。
尚、テントの平面視において、桟３…３が呈する三角形は、上記の直角二等辺三角形に限定するものではなく、二等辺三角形以外の直角三角形であっても実施できる。また、直角三角形以外の三角形であっても実施でき、更には、三角形以外の多角形としても実施できる。
【００２４】
上記の天幕２は、図１〜図３へ示す通り、左右２枚のシート２１，２２（左シート２１と右シート２２）からなる。
平面視において、何れのシート２１，２２も、三角形を呈する。
また、両シート２１，２２の素材には、雨除けとして防水性を備えるものを採用するのが好ましい。
この実施の形態では、図１へ示す通り、天幕２は、シートの広さを最大限生かせる、平屋根をなすものである。
左シート２１は、上記第３桟３ｃと第１棒材５ａとに張り渡され、右シート２２は、上記第２桟３ｂと第２棒材５ｂとに張り渡される。図示の通り、平面視において、左シート２１が呈する三角形の、左側の一辺が第３桟３ｃに沿うように取り付けられ、右側の一辺が第１棒材５ａに沿うよう取り付けられる。また、右シート２２が呈する三角形の、右側の一辺が第２桟２ｂに沿うように取り付けられ、左側の一辺が第２棒材５ｂに沿うよう取り付けられる。
具体的には、各シート２１，２２には、三角形の一方の一辺に沿って、桟固定部２３が設けられている。桟固定部２３は、左右のシート２１，２２を桟３，３（第２及び第３桟７ｂ，７ｃ）へ着脱自在に取り付けるものであり、この実施の形態において、桟固定部２３は、図２へ示す通り、三角形を呈するシートの左右に隣り合う辺の一方に沿って袋状に形成された部分であり、面ファスナやホックなどの係止具にてに袋状に固定されている。平面視において、左シート２１が呈する三角形の左側の一辺に沿って上記桟固定部が設けられ、右シート２２が呈する三角形の右側の一辺に沿って上記桟固定部が設けられている。桟固定部は、上記の面ファスナやホックに限定するものではなく、スライドファスナや他のスナップにて構成することもできる。
【００２５】
また、各シート２１，２２の上記桟固定部２３，２３が設けられたのと反対側の辺に沿って、棒材固定部２４，２４が設けられている。即ち、平面視において、左シート２１が呈する三角形の右側の辺に沿って棒材固定部が設けられ、右シート２２が呈する三角形の左側の辺に沿って棒材固定部２４，２４が設けられている。
棒材固定部２４は、上記の棒材５ａ，５ｂにシートを固定するものであり、この実施の形態において、棒材固定部２４，２４は、シートの上記辺をなす縁をシートの裏面側に折り込んで端部をシートへ縫い付けることによって形成した袋部分であり、当該袋部分の内部に上記棒材５を収容するものである。
但し、棒材固定部２４，２４を、上記のようにシートの縁を折り込んで形成するのではなく、別のシート状体を上記シート２１，２２へ縫い付けることにより、袋部分を形成して実施することができる。
棒材５ａ，５ｂは、シート２１，２２が呈する扇の径よりも長く、各シート２１，２２は、棒材５，５の後端側を、シート２１，２２の後方へ突出させる。
【００２６】
この実施の形態においては設けられていないが、必要に応じて、第３桟３ｃと第１棒材５ａとの間に、また、第２桟３ｂと第２棒材５ｂとの間に、シートの支持を補助する前記の補強骨を設けて実施することができる。
【００２７】
両棒材５ａ，５ｂについて、図５（Ａ）へ示す、揃えられた状態から、把手となる棒材５ａ，５ｂの端部を持って、関節部９の両止め具９１，９２を乗り越えさせ、両副止め具９２，９２の外側へ移動させて、棒材５ａ，５ｂ同士を遠ざけるようにスライドさせることにより、図３へ示す通り、シート２１，２２を左右に畳んで、天幕２を開くことができる。天幕２を閉じるときは、上記と逆の動作によって、再び、関節部９の両止め具９１，９２間に、棒材５ａ，５ｂを収めればよい。このように、関節部９の両副止め具９２，９２は、天幕２を開いた状態に固定する固定具として機能する。
【００２８】
図６〜図８を用いて、設営したテントを撤収する手順について説明する。
図６へ示す通り、固定手段６０…６０を外し、棒材５ａ，５ｂを第２及び第３桟３ｂ，３ｃから取り外す。
そして、関節部９から、図４（Ｃ）へ示す通り、副止め具９２を外して、図７へ示すように、桟３…３が呈する三角形の内側に向けて、第１桟３ａを２つ折りにする。第１桟３ａを完全に折り畳むことにより、その左右の第２及び第３桟３ｂ，３ｃを、折り畳まれた第１桟３ａと沿わせる。
一方において、補強部材７…７の夫々を、係止している桟３…３から外す。
この状態にて、図５（Ｂ）へ示す横留め具６６を中心として、支柱４を回転させることにより、上記にて折り畳まれて沿い合う桟３…３に向け、支柱４…４の夫々を畳むことができる。即ち、支柱受容部６１と横留め具６６とを、副関節部として、桟に向けて支柱を折り畳むことができる。
そして、最終的に、図８へ示す通り、桟３…３及び支柱４…４を重ねた状態に畳むことができる。
上記において、支柱４…４を折り畳むことが不要であれば、上記の副関節部を設ける必要はない。また、支柱４…４を、折り畳むのではなく、接続部６…６に着脱自在に取り付けておき、テント撤収の際に、接続部６…６から取り外して、桟３…３と分離した状態にするものとしてもよい。また、支柱４…４を径の異なる複数のパイプにて構成し、撤収時、各パイプを重ねることによって、支柱を縮めた状態にすることができるものとしても実施できる。
【００２９】
次に、テント１の設営例を示す。
テント１は、単独で用いることも可能であるが、図９（Ａ）へ示す通り、平面視において、直角の扇型のテント１，１を２つ用意して、扇の先を揃えて並べ、半円形にして使用することができる。また、このテント１…１を４つ用意して、図９（Ａ）の破線で示す通り、円形にして使用することができる。
更に図９（Ｂ）へ示す通り、平面視矩形のプールＰにおいて、その四隅のプールサイドの夫々に、上記テント１を設営して、プールＰの四隅に日除けを設けることができる。
【００３０】
上述してきた各実施の形態において、１つのテント１に１つの折り畳みテント構造を設けた。即ち、一つのテント１は関節部９を有する桟３を一つ備えたものとした。一方、図９（Ｃ）へ示す通り、テント１が、支柱４を、辺となる桟が呈する多角形の内側（多角形の中心）にも備えるものとし、桟を多角形の辺のみでなく、当該内側に配置された支柱４と他の支柱４との間にも渡すものとすることができ、この場合、当該一つのテント１において、辺をなす複数の桟３…３が関節部９を備えるものとしても実施できる。このように、一つのテントが、複数の折り畳みのテント構造を備えるものとしても実施できるのである。
また、テントは、平面視において、三角形のほか、桟が上記の四角形や或いは五角形、更にはその他の多角形を呈するものとして実施でき、何れの場合も、一つのテントが一つのテント構造を備えるものとしても、或いは、一つのテントが複数のテント構造を備えるものとしても何れの実施も可能である。
【図面の簡単な説明】
【００３１】
【図１】本願発明に係るテントの使用状態を示す天幕を閉じた斜視図である。
【図２】図１のテントをＭ方向から眺めた状態を示す一部切欠斜視図である。
【図３】図１のテントの天幕を開いた状態を示す斜視図である。
【図４】（Ａ）は、上記テントの関節部を示す要部斜視図であり、（Ｂ）は（Ａ）の平面図であり、（Ｃ）は当該関節部を折り曲げる状態を示す要部平面図である。
【図５】（Ａ）は図４（Ａ）及び図４（Ｂ）に示す関節部の要部背面図であり、（Ｂ）は上記テントの副関節部を示す斜視図であり、（Ｃ）は上記テントの上部先端を示す斜視図である。
【図６】図１に示すテントから天幕と棒材を取り除いた状態を示す斜視図である。
【図７】図６に示すテントの折り畳みの途中の状態を示す斜視図である。
【図８】図６に示すテントの折り畳みが完了した状態を示す斜視図である。
【図９】（Ａ）は上記テントの使用例を示す平面図であり、（Ｂ）は上記テントの他の使用例を示す平面図であり、（Ｃ）は上記テントの他の実施の形態を示す略底面図である。
【符号の説明】
【００３２】
１  テント
２  天幕
３  桟
４  支柱
５  棒材
９  関節部
【図１】
2010024672.tif 000003
【図２】
2010024672.tif 000004
【図３】
2010024672.tif 000005
【図４】
2010024672.tif 000006
【図５】
2010024672.tif 000007
【図６】
2010024672.tif 000008
【図７】
2010024672.tif 000009
【図８】
2010024672.tif 000010
【図９】
2010024672.tif 000011